【手続補正書】
【提出日】令和1年8月8日(2019.8.8)
【手続補正１】
【補正対象書類名】明細書
【補正対象項目名】０００９
【補正方法】変更
【補正の内容】
【０００９】
上記目的を達成するために本発明は、撮像センサを有する撮像装置であって、前記撮像センサを用いて複数の静止画を連続して取得する連続撮影を行なう際に、前記撮像センサでフォーカス処理および測光処理の少なくとも一方に用いる第１の画像信号を取得するために電荷の蓄積及び読み出しを行う第１駆動と、前記撮像センサで前記第１の画像信号とは異なる第２の画像信号を取得するために電荷の蓄積及び読み出しを行う第２駆動とを、交互に繰り返して前記撮像センサを駆動する駆動手段と、前記撮像センサの前記第１駆動で読み出された電荷に基づいて測光処理を実行する測光手段と、前記測光手段による測光結果に基づいて、Ｎ＋１枚目の前記第２の画像信号を取得する際の絞り値を算出する算出手段と、前記算出手段により算出された絞り値と所定値とに基づいて、前記撮像センサの前記第２駆動によるＮ枚目の前記第２の画像信号を取得するための電荷の読み出し中に絞り制御を行う制御手段と、を有することを特徴とする。
【手続補正２】
【補正対象書類名】明細書
【補正対象項目名】００３７
【補正方法】変更
【補正の内容】
【００３７】
２コマ目（Ｎ＋１）用の算出絞り値がＦ４であるとすると、処理Ｔ１では、決定絞り値がＦ４とされ、１コマ目（Ｎ）の静止画用の電荷の読み出し中に、Ｆ４へ絞り制御される（Ｓ１０５）。この場合、Ｆ４のまま、その直後のフォーカス・測光処理用センサ駆動へ移行でき、絞りを改めて制御し直すことなく２コマ目の静止画の撮像を開始できるため、コマ間の時間が長くならず、連写の高速化に寄与する。また、３コマ目（Ｎ＋２）用の算出絞り値がＦ１１であるとすると、処理Ｔ２では、決定絞り値がＦ８とされ、２コマ目（Ｎ＋１）の静止画用の電荷の読み出し中に、Ｆ８へ絞り制御される（Ｓ１１３）。これにより、適切な条件で評価値の取得を行え、ピントや露出の追従性能を確保できる。その後、処理Ｔ３で、３コマ目（Ｎ＋２）の静止画用の電荷の蓄積開始前に、Ｆ１１へ絞り制御される（Ｓ１１１）。これにより、３コマ目の静止画撮影において適切な露出を確保できる。また、４コマ目（Ｎ＋３）用の算出絞り値がＦ４であるとすると、処理Ｔ４では、決定絞り値がＦ４とされ、３コマ目（Ｎ＋２）の静止画用の電荷の読み出し中に、Ｆ４へ絞り制御される（Ｓ１１３）。この場合、Ｆ４のまま、その直後のフォーカス・測光処理用センサ駆動へ移行できるので、コマ間の時間が長くならない。
【手続補正３】
【補正対象書類名】特許請求の範囲
【補正対象項目名】全文
【補正方法】変更
【補正の内容】
【特許請求の範囲】
【請求項１】
撮像センサを有する撮像装置であって、
前記撮像センサを用いて複数の静止画を連続して取得する連続撮影を行なう際に、前記撮像センサでフォーカス処理および測光処理の少なくとも一方に用いる第１の画像信号を取得するために電荷の蓄積及び読み出しを行う第１駆動と、前記撮像センサで前記第１の画像信号とは異なる第２の画像信号を取得するために電荷の蓄積及び読み出しを行う第２駆動とを、交互に繰り返して前記撮像センサを駆動する駆動手段と、
前記撮像センサの前記第１駆動で読み出された電荷に基づいて測光処理を実行する測光手段と、
前記測光手段による測光結果に基づいて、Ｎ＋１枚目の前記第２の画像信号を取得する際の絞り値を算出する算出手段と、
前記算出手段により算出された絞り値と所定値とに基づいて、前記撮像センサの前記第２駆動によるＮ枚目の前記第２の画像信号を取得するための電荷の読み出し中に絞り制御を行う制御手段と、を有することを特徴とする撮像装置。
【請求項２】
前記第１の画像信号は視差画像信号であって、
前記第２の画像信号は静止画用の画像信号であることを特徴とする請求項１に記載の撮像装置。
【請求項３】
前記制御手段は、前記算出された絞り値が前記所定値より開放側である場合は、前記算出された絞り値となるよう前記絞り制御を行うことを特徴とする請求項２に記載の撮像装置。
【請求項４】
前記制御手段は、前記算出された絞り値が前記所定値より開放側でない場合は、前記所定値となるよう前記絞り制御を行うことを特徴とする請求項２又は３のいずれか１項に記載の撮像装置。
【請求項５】
前記制御手段は、前記所定値となるよう前記絞り制御を行った後の前記撮像センサの前記第１駆動の完了後であって、前記所定値となるよう前記絞り制御を行った後の前記撮像センサの前記第２駆動の開始前に、前記算出された絞り値となるよう前記絞り制御を行うことを特徴とする請求項４に記載の撮像装置。
【請求項６】
前記算出手段は、前記Ｎ＋１枚目の前記第２の画像信号を取得するための絞り値の算出を、前記撮像センサの前記第２駆動による前記Ｎ枚目の前記第２の画像信号を取得するための電荷の蓄積中に開始することを特徴とする請求項２乃至５のいずれか１項に記載の撮像装置。
【請求項７】
前記制御手段は、前記撮像センサの前記第１駆動で読み出された電荷に基づいて前記Ｎ＋１枚目の前記第２の画像信号を取得する際のフォーカス位置を決定し、当該決定したフォーカス位置に基づき、前記撮像センサの前記第２駆動による前記Ｎ枚目の前記第２の画像信号を取得するための電荷の読み出し中にフォーカス制御を行うことを特徴とする請求項２乃至６のいずれか１項に記載の撮像装置。
【請求項８】
前記撮像センサから得られた画像信号から被写体を検出する検出手段を有し、
前記制御手段は、前記撮像センサの前記第１駆動で読み出された電荷と前記検出手段により検出された被写体の位置とに基づいて前記Ｎ＋１枚目の前記第２の画像信号を取得する際のフォーカス位置を決定し、
前記測光手段は、前記撮像センサの前記第１駆動で読み出された電荷と前記検出された被写体の位置とに応じて測光処理を実行することを特徴とする請求項７に記載の撮像装置。
【請求項９】
前記制御手段は、前記撮像センサの前記第１駆動で読み出された電荷に基づく画像信号を表示画像として表示手段に表示させることを特徴とする請求項１乃至８のいずれか１項に記載の撮像装置。
【請求項１０】
連続撮影中に前記撮像センサの前記第２駆動が可能でなくなってから前記第２駆動が可能となった場合、その後であって前記撮像センサの前記第２駆動による次の前記第２の画像信号を取得するための電荷の蓄積の開始前に、次の前記第２の画像信号を取得する際の前記測光手段による測光処理、前記算出手段による前記絞り値の算出及び前記制御手段による前記絞り制御が完了することを特徴とする請求項１乃至９のいずれか１項に記載の撮像装置。
【請求項１１】
前記制御手段は、連続撮影中に前記撮像センサの前記第２駆動が可能でなくなってから前記第２駆動が可能となるまでの間、所定のフレームレートで連続的に画像を生成する第３駆動により前記撮像センサを駆動し、スルー画像を表示手段に表示させるように制御することを特徴とする請求項１０に記載の撮像装置。
【請求項１２】
前記駆動手段は、前記第２駆動により取得された前記第２の画像信号を静止画として記憶可能なメモリに画像信号を記録できない状態では、前記撮像センサの前記第２駆動を実行させないことを特徴とする請求項１０又は１１に記載の撮像装置。
【請求項１３】
撮像センサを有する撮像装置の制御方法であって、
前記撮像センサを用いて複数の静止画を連続して取得する連続撮影を行なう際に、前記撮像センサでフォーカス処理および測光処理の少なくとも一方に用いる第１の画像信号を取得するために電荷の蓄積及び読み出しを行う第１駆動と、前記撮像センサで前記第１の画像信号とは異なる第２の画像信号を取得するために電荷の蓄積及び読み出しを行う第２駆動とを、交互に繰り返して前記撮像センサを駆動する駆動ステップと、
前記撮像センサの前記第１駆動で読み出された電荷に基づいて測光処理を実行する測光ステップと、
前記測光ステップによる測光結果に基づいて、Ｎ＋１枚目の前記第２の画像信号を取得する際の絞り値を算出する算出ステップと、
前記算出ステップにより算出された絞り値と所定値とに基づいて、前記撮像センサの前記第２駆動によるＮ枚目の前記第２の画像信号を取得するための電荷の読み出し中に絞り制御を行う制御ステップと、を有することを特徴とする撮像装置の制御方法。
【請求項１４】
請求項１３に記載の撮像装置の制御方法をコンピュータに実行させることを特徴とするプログラム。